(57)【要約】【課題】  主電源がＯＦＦ状態となった時間に応じて主電源ＯＮ直後のスタンバイ処理の実行有無を制御するようにした画像形成装置およびその起動制御方法を提供する。【解決手段】  画像形成装置１０の主電源１２がＯＮされると、主電源供給部１２ａによる電力供給が開始されるとともに、電源ＯＦＦ時間算出部３３にて画像形成装置１０の主電源１２がＯＦＦされていた時間が算出される。算出された時間は、時刻比較部３４にて閾値設定部３７に設定された閾値と比較され、主電源ＯＦＦ時間が閾値を越えている場合、スタンバイ処理部３５ａは、その処理を行わない。すなわち、起動に際してスタンバイ処理が行われないため、画像形成装置１０は節電状態で起動する。【選択図】  図１
2006256030.tif 000002
【特許請求の範囲】
【請求項１】
印刷が可能なスタンバイ状態にするためのスタンバイ処理を実行するスタンバイ処理手段を有する画像形成装置において、
主電源がＯＦＦにされている主電源ＯＦＦ時間を検知する主電源ＯＦＦ時間検知手段と、
前記主電源ＯＦＦ時間検知手段で検知された前記主電源ＯＦＦ時間が予め設定された所定の時間より長い場合は、前記主電源ＯＮ時に前記スタンバイ処理手段によるスタンバイ処理を行うことなく起動し、前記主電源ＯＦＦ時間検知手段で検知された前記主電源ＯＦＦ時間が予め設定された所定の時間より短い場合は前記主電源ＯＮ時に前記スタンバイ処理手段によるスタンバイ処理を実行して起動する起動処理を行う起動制御手段と
を具備することを特徴とする画像形成装置。
【請求項２】
前記主電源ＯＦＦ時間検知手段は、
前記主電源がＯＦＦされた時刻を保持する電源ＯＦＦ時刻保持手段と、
前記電源ＯＦＦ時刻保持手段に保持された時刻と前記主電源がＯＮされた時刻とに基づいて前記主電源ＯＦＦ時間を算出する電源ＯＦＦ時間算出手段と
を具備することを特徴とする請求項１記載の画像形成装置。
【請求項３】
前記電源ＯＦＦ時間検知手段は、
前記主電源がＯＦＦされた時点からの経過時間を計測する時間計測手段
を具備し、
前記時間計測手段により計測された主電源ＯＦＦ時間を出力する
ことを特徴とする請求項１記載の画像形成装置。
【請求項４】
前記主電源ＯＮ時に前記スタンバイ処理手段のスタンバイ処理を実行するか否かを設定する起動設定手段
を更に具備し、
前記スタンバイ処理手段は、
前記起動設定手段により前記スタンバイ処理を実行すると設定されている場合には、前記主電源ＯＦＦ時間検知手段で検知された前記主電源ＯＦＦ時間が予め設定された所定の時間より長い場合でも前記主電源ＯＮ時に前記スタンバイ処理を実行する
ことを特徴とする請求項１乃至３いずれかに記載の画像形成装置。
【請求項５】
印刷が可能なスタンバイ状態にするためのスタンバイ処理を実行するスタンバイ処理手段を有する画像形成装置の起動制御方法において、
主電源がＯＦＦにされている主電源ＯＦＦ時間を主電源ＯＦＦ時間検知手段により検知し、
前記主電源ＯＦＦ時間検知手段で検知された前記主電源ＯＦＦ時間が予め設定された所定の時間より長い場合は、前記主電源ＯＮ時に前記スタンバイ処理手段によるスタンバイ処理を行うことなく起動し、前記主電源ＯＦＦ時間検知手段で検知された前記主電源ＯＦＦ時間が予め設定された所定の時間より短い場合は前記主電源ＯＮ時に前記スタンバイ処理手段によるスタンバイ処理を実行して起動する起動処理を起動制御手段により行う
ことを特徴とする画像形成装置の起動制御方法。
【発明の詳細な説明】
【技術分野】
【０００１】
本発明は、印刷が可能なスタンバイ状態にするためのスタンバイ処理を実行するスタンバイ処理手段を有する画像形成装置およびその起動制御方法に係わり、詳しくは、主電源がＯＦＦ状態となった時間に応じて主電源ＯＮ直後のスタンバイ処理の実行有無を制御するようにした画像形成装置およびその起動制御方法に関する。
【背景技術】
【０００２】
現状のプリンタ、複写機および複合機などの画像形成装置は、主電源ＯＮ後に直ぐに印刷が可能となるように内部状態をスタンバイ状態にするものが多い。例えば、電子写真式の画像形成装置の場合、主電源がＯＮになるとともに、ヒータに通電を開始して定着部の温度を一定以上に上げる。
【０００３】
このような画像形成装置には、無駄なエネルギー消費を抑制するために、通常動作時よりも消費電力の低減を図れる節電モードが設けられており、一定時間印刷を行わないと、直ぐに印刷が可能なスタンバイ状態から節電状態（節電モード）に移行するようになっている。
【０００４】
ところで、複数のユーザが印刷を行うようなオフィス、学校等においては、複数のユーザで画像形成装置を共用して利用する。このように画像形成装置を共用して利用する場合には、最初にオフィスに出社した人が出社直後に、画像形成装置の使用有無に関係無く、その主電源をＯＮさせることが慣習になっている。
【０００５】
そして、主電源がＯＮされたにもかかわらず、印刷が行われずに一定時間が経過した場合には、主電源ＯＮによるスタンバイ状態から１枚も印刷されないまま、画像形成装置は、節電状態へ移行することとなる。この場合、主電源ＯＮとともに、スタンバイ状態に移行させるための電力が無駄となっていた。
【０００６】
このような問題に対処した技術として、特許文献１に記載されたものが知られており、この特許文献１の発明は、主電源ＯＮ直後に、スタンバイ状態で起動するか節電状態で起動するのかを設定できるというものである。また、主電源ＯＮ後一度も印刷されずにスタンバイ状態から節電状態に移行した回数と、主電源ＯＮ後１度も節電状態に移行せずに印刷した回数とをカウントし、それらの回数を比較することによって、かかる設定を自動で行う技術についても言及されている。
【特許文献１】特開２００４−２３０６０５号
【発明の開示】
【発明が解決しようとする課題】
【０００７】
しかしながら、上記特許文献１の発明では、主電源ＯＮとともに節電状態で起動するように設定できるが、主電源がＯＦＦ状態となっていた時間に対応して主電源ＯＮ後の起動状態を変更できるというものではなかった。
【０００８】
そのため、通常の主電源ＯＮ時は、スタンバイ状態で起動し、長時間電源ＯＦＦしていた後、例えば、朝出社後の最初の主電源ＯＮ時のみ節電状態で起動させて、それ以外の主電源ＯＮ時は、スタンバイ状態で起動するといった設定はできなかった。
【０００９】
そこで、本発明は上記問題点に鑑みてなされたものであり、主電源がＯＦＦ状態となった時間に応じて主電源ＯＮ直後のスタンバイ処理の実行有無を制御するようにした画像形成装置およびその起動制御方法を提供することを目的とする。
【課題を解決するための手段】
【００１０】
上記目的を達成するために、請求項１の発明は、印刷が可能なスタンバイ状態にするためのスタンバイ処理を実行するスタンバイ処理手段を有する画像形成装置において、主電源がＯＦＦにされている主電源ＯＦＦ時間を検知する主電源ＯＦＦ時間検知手段と、前記主電源ＯＦＦ時間検知手段で検知された前記主電源ＯＦＦ時間が予め設定された所定の時間より長い場合は、前記主電源ＯＮ時に前記スタンバイ処理手段によるスタンバイ処理を行うことなく起動し、前記主電源ＯＦＦ時間検知手段で検知された前記主電源ＯＦＦ時間が予め設定された所定の時間より短い場合は前記主電源ＯＮ時に前記スタンバイ処理手段によるスタンバイ処理を実行して起動する起動処理を行う起動制御手段とを具備することを特徴とする。
【００１１】
また、請求項２の発明は、請求項１の発明において、前記主電源ＯＦＦ時間検知手段は、前記主電源がＯＦＦされた時刻を保持する電源ＯＦＦ時刻保持手段と、前記電源ＯＦＦ時刻保持手段に保持された時刻と前記主電源がＯＮされた時刻とに基づいて前記主電源ＯＦＦ時間を算出する電源ＯＦＦ時間算出手段とを具備することを特徴とする。
【００１２】
また、請求項３の発明は、請求項１の発明において、前記電源ＯＦＦ時間検知手段は、前記主電源がＯＦＦされた時点からの経過時間を計測する時間計測手段を具備し、前記時間計測手段により計測された主電源ＯＦＦ時間を出力することを特徴とする。
【００１３】
また、請求項４の発明は、請求項１乃至３の発明において、前記主電源ＯＮ時に前記スタンバイ処理手段のスタンバイ処理を実行するか否かを設定する起動設定手段を更に具備し、前記スタンバイ処理手段は、前記起動設定手段により前記スタンバイ処理を実行すると設定されている場合には、前記主電源ＯＦＦ時間検知手段で検知された前記主電源ＯＦＦ時間が予め設定された所定の時間より長い場合でも前記主電源ＯＮ時に前記スタンバイ処理を実行することを特徴とする。
【００１４】
また、請求項５の発明は、印刷が可能なスタンバイ状態にするためのスタンバイ処理を実行するスタンバイ処理手段を有する画像形成装置の起動制御方法において、主電源がＯＦＦにされている主電源ＯＦＦ時間を主電源ＯＦＦ時間検知手段により検知し、前記主電源ＯＦＦ時間検知手段で検知された前記主電源ＯＦＦ時間が予め設定された所定の時間より長い場合は、前記主電源ＯＮ時に前記スタンバイ処理手段によるスタンバイ処理を行うことなく起動し、前記主電源ＯＦＦ時間検知手段で検知された前記主電源ＯＦＦ時間が予め設定された所定の時間より短い場合は前記主電源ＯＮ時に前記スタンバイ処理手段によるスタンバイ処理を実行して起動する起動処理を起動制御手段により行うことを特徴とする。
【発明の効果】
【００１５】
本発明によれば、主電源がＯＦＦにされている主電源ＯＦＦ時間を検知し、主電源ＯＦＦ時間が予め設定された所定の時間より長い場合は、主電源ＯＮ時にスタンバイ処理を行うことなく起動し、主電源ＯＦＦ時間が予め設定された所定の時間より短い場合は、主電源ＯＮ時にスタンバイ処理を実行して起動するようにしたため、無駄な電力消費を抑制することができる。
【００１６】
例えば、朝出社後等の最初の主電源ＯＮ時には、節電状態で起動させることができ、それ以外の主電源ＯＮ時は、スタンバイ状態で起動させることができるため、特に、朝出社直後に慣習化した主電源ＯＮによる無駄な電力消費を抑制することができる。
【発明を実施するための最良の形態】
【００１７】
以下、この発明に係わる画像形成装置およびその起動制御方法の実施例について添付図面を参照して詳細に説明する。
【実施例】
【００１８】
図１は、本発明に係わる画像形成装置の概略構成を示すブロック図の一例である。
【００１９】
画像形成装置１０は、大きく分けて、副電源供給部１１から供給される電力にて動作する処理部と、主電源供給部１２ａから供給される電力にて動作する処理部とに分類される。
【００２０】
副電源供給部１１からの電力供給により動作する処理部には、時計部２１があり、それ以外の処理部は、主電源供給部１２ａからの電力供給により動作することとなる。主電源供給部１２ａによる各部への電力供給は、主電源１２のＯＮ／ＯＦＦに対応して電力供給の開始若しくは停止が制御されるのに対して、この副電源供給部１１による電力供給は、主電源１２のＯＮ／ＯＦＦに関係無く、常にその電力供給が行われるため、時計部２１は、常に正確な時刻を刻むことができる。
【００２１】
一方、主電源供給部１２ａからの電力供給により動作する処理部には、電源ＯＮ時刻保持部３１と、電源ＯＦＦ時刻保持部３２と、電源ＯＦＦ時間算出部３３と、時刻比較部３４と、起動制御部３５と、起動設定部３６と、閾値設定部３７と、入力部３８とがある。
【００２２】
電源ＯＮ時刻保持部３１は、主電源ＯＮ直後の時刻情報（現在時刻）を時計部２１から取得して保持する処理部であり、電源ＯＦＦ時刻保持部３２は、主電源ＯＮ時に定期的に時計部２１から時刻情報（現在時刻）を取得して保持する処理部である。これら電源ＯＮ時刻保持部３１および電源ＯＦＦ時刻保持部３２は、時刻情報を保持するためのメモリに相当し、特に、電源ＯＦＦ時刻保持部３２は、主電源１２をＯＦＦにしても、消去されずにその記憶内容が保持される不揮発性メモリで構成される。
【００２３】
電源ＯＦＦ時刻保持部３２は、主電源ＯＮ時に、定期的に時計部２１から時刻情報を取得して保持するため、主電源１２がＯＦＦされた場合には、その直前に取得した時刻情報を保持する。これにより、次回起動時には、前回主電源１２がＯＦＦされた時刻情報が保持されることになる。
【００２４】
電源ＯＦＦ時間算出部３３は、電源ＯＮ時刻保持部３１と、電源ＯＦＦ時刻保持部３２とから時刻情報を受け取り、受け取った時刻情報から主電源１２がＯＦＦ状態となっていた時間（以下、主電源ＯＦＦ時間という）を算出する処理部である。
【００２５】
時刻比較部３４は、電源ＯＦＦ時間算出部３３で算出された主電源ＯＦＦ時間と、閾値設定部３７に設定された閾値とを比較し、その比較結果を起動制御部３５へ送る処理部である。
【００２６】
起動制御部３５は、上述した時刻比較部３４からの比較結果の他、起動設定部３６に設定された起動設定情報を受け取り、これらの情報を判断し、スタンバイ処理が必要な場合には、スタンバイ処理部３５ａによるスタンバイ処理を実行する。具体的には、ヒータ等に通電を開始して定着部の温度を一定以上に上げ、直ぐに印刷が可能な状態で画像形成装置１０を起動させる。一方、スタンバイ処理が不必要な場合には、その処理を行わない。すなわち、起動に際してスタンバイ処理が行われないため、画像形成装置１０は節電状態で起動することとなる。
【００２７】
閾値設定部３７は、主電源ＯＦＦ時間に対する閾値を設定する処理部である。ここには、ユーザからの入力操作により閾値が設定されることとなり、ここに設定された閾値と、電源ＯＦＦ時間算出部３３で算出された主電源ＯＦＦ時間とが時刻比較部３４にて比較される。そして、電源ＯＦＦ時間算出部３３で算出された画像形成装置１０の主電源ＯＦＦ時間が閾値設定部３７に設定された閾値を越えている場合には、主電源ＯＮ後、スタンバイ処理部３５ａによるスタンバイ処理が行われずに節電状態（ヒータ等に通電を行わない状態）で起動することとなる。但し、後述する起動設定部３６で、常にスタンバイ状態で起動させる旨の設定値が設定されている場合には、節電状態ではなく、必ずスタンバイ状態で画像形成装置１０を起動させる。
【００２８】
起動設定部３６は、主電源ＯＮ後の画像形成装置１０の動作状態を設定する処理部である。すなわち、主電源ＯＮ後に、画像形成装置１０をスタンバイ状態で起動させるか、節電状態で起動させるかの起動動作に関する設定値（起動設定情報）を保持する。また、ここに保持された起動設定情報は、他の処理より優先され、例えば、時刻比較部３４での比較結果により、節電状態で起動させる場合であっても、起動設定部３６にスタンバイ状態で起動させる旨の設定値が設定されているならば、画像形成装置１０は、スタンバイ状態で起動することとなる。
【００２９】
これら閾値設定部３７および起動設定部３６に設定された閾値、起動設定情報は、画像形成装置１０本体に設置された入力部３８、若しくは、ホスト端末４０からのユーザ操作により設定できる。
【００３０】
ホスト端末４０は、ユーザが扱うパーソナルコンピュータ等であり、ここから、画像形成装置１０に対して印刷依頼の送信や、画像形成装置１０の動作に係わる各種設定値（閾値、起動設定情報、…等）の設定操作が行える。
【００３１】
図２は、本発明に係わる画像形成装置１０の動作を説明するフローチャートである。
【００３２】
画像形成装置１０は、ユーザによって主電源１２がＯＮされるまで待機しており（ステップＳ１０１でＮＯ）、ユーザによってその主電源１２がＯＮされると（ステップＳ１０１でＹＥＳ）、主電源供給部１２ａにより電力供給が始まり、この処理は開始される。
【００３３】
この処理が開始されると、まず、主電源ＯＮ直後の時刻情報が時計部２１から電源ＯＮ時刻保持部３１へ送信され、その時刻情報が電源ＯＮ時刻保持部３１にて保持される（ステップＳ１０２）。
【００３４】
続いて、電源ＯＮ時刻保持部３１と、電源ＯＦＦ時刻保持部３２とで保持された時刻情報から主電源１２がＯＦＦ状態となっていた時間（主電源ＯＦＦ時間）を電源ＯＦＦ時間算出部３３で算出する（ステップＳ１０３）。
【００３５】
このようにして算出された主電源ＯＦＦ時間は、時刻比較部３４へと出力され、時刻比較部３４では、主電源ＯＦＦ時間と、閾値設定部３７に設定された閾値とを比較する（ステップＳ１０４）。その比較結果は、起動制御部３５へ送られる。
【００３６】
時刻比較部３４での比較の結果、主電源ＯＦＦ時間が閾値を越えていると判断されたならば（ステップＳ１０５でＹＥＳ）、起動制御部３５は、画像形成装置１０をスタンバイ状態で起動させるか、節電状態で起動させるかの設定値（起動設定情報）を起動設定部３６より取得し、スタンバイ処理を実行するか否かを判断する（ステップＳ１０６）。先に述べた通り、起動設定部３６に保持された起動設定情報は、他の処理より優先され、ここに、スタンバイ状態で起動させる旨の設定値が設定されているならば、画像形成装置１０は、常にスタンバイ状態で起動することとなる。
【００３７】
ここで、起動設定部３６にスタンバイ状態で起動させる旨の設定値が設定されている場合には（ステップＳ１０６でＹＥＳ）、スタンバイ処理部３５ａによりスタンバイ処理が実行され、直ぐに印刷が可能なスタンバイ状態で画像形成装置１０が起動されるが一方（ステップＳ１１０）、起動設定部３６に節電状態で起動させる、あるいは特に設定値が設定されていない場合には（ステップＳ１０６でＮＯ）、スタンバイ処理部３５ａによるスタンバイ処理を行わない。そのため、画像形成装置１０は節電状態（ヒータ等に通電を行わない状態）で起動することとなる。
【００３８】
このようにして節電状態で画像形成装置１０が起動されると、時計部２１から定期的に時刻情報が送信され、その時刻情報が電源ＯＦＦ時刻保持部３２にて保持される（ステップＳ１０７）。先に述べた通り、主電源１２がＯＦＦされた場合には、その直前に時計部２１から送信された時刻情報が電源ＯＦＦ時刻保持部３２に保持される。これにより、次回起動時には、前回主電源１２がＯＦＦされた時刻情報が保持されることになる。
【００３９】
画像形成装置１０は、ホスト端末４０等から印刷依頼を受信するまで、節電状態を継続するが（ステップＳ１０８でＮＯ）、ホスト端末４０等から印刷依頼を受信した場合には（ステップＳ１０８でＹＥＳ）、スタンバイ処理部３５ａによりスタンバイ処理が実行され（ステップＳ１０９）、画像形成装置１０はスタンバイ状態へ移行するとともに、当該依頼に基づいて印刷処理を実行する（ステップＳ１１４）。そして、節電移行時間の計時が開始され（ステップＳ１１５）、そのまま、画像形成装置１０はスタンバイ状態にて待機状態となる。
【００４０】
ところで、上記ステップＳ１０５での比較の結果、主電源ＯＦＦ時間が閾値を越えていないと判断されたならば（ステップＳ１０５でＮＯ）、スタンバイ処理部３５ａによりスタンバイ処理が実行され、直ぐに印刷が可能なスタンバイ状態で画像形成装置１０が起動される（ステップＳ１１０）。
【００４１】
このようにしてスタンバイ状態で画像形成装置１０が起動されると、節電移行時間の計時が開始されるとともに（ステップＳ１１１）、上述した節電状態時同様に、時計部２１から定期的に時刻情報が送信され、その時刻情報が電源ＯＦＦ時刻保持部３２にて保持される（ステップＳ１１２）。
【００４２】
そして、画像形成装置１０は、ホスト端末４０等から印刷依頼を受信するか、所定の時間が経過して節電状態へ移行するまで、スタンバイ状態を継続する（ステップＳ１１３でＮＯの後、ステップＳ１１６でＮＯ）。
【００４３】
ここで、ホスト端末４０等から印刷依頼を受信した場合には（ステップＳ１１３でＹＥＳ）、画像形成装置１０は、当該依頼に基づいて印刷処理を実行するとともに（ステップＳ１１４）、節電移行時間を再計時して（ステップＳ１１５）、再び待機状態となる。
【００４４】
また、スタンバイ状態で待機中に、所定の時間が経過、すなわち節電移行時間が経過した場合（ステップＳ１１６でＹＥＳ）、画像形成装置１０は、ヒータ等への通電を停止して（ステップＳ１１７）、節電状態へと移行する。
【００４５】
以上説明したように本発明においては、主電源ＯＦＦ後に経過した主電源ＯＦＦ時間と、所定の閾値とを比較し、所定の閾値を越えて主電源１２がＯＦＦ状態であった場合には、スタンバイ処理を行わずに画像形成装置１０を起動させるようにしたため、無駄な電力消費を抑制することができる。
【００４６】
例えば、朝出社後等の最初の主電源ＯＮ時には、節電状態で起動させることができ、それ以外の主電源ＯＮ時は、スタンバイ状態で起動させることができるため、特に、朝出社直後に慣習化した主電源ＯＮによる無駄な電力消費を抑制することができる。
【００４７】
次に、上述した実施例の変形例について図３を参照しながら説明する。同図には、上記図１で説明した画像形成装置１０が示される。なお、上記図１と同一の符号が付してあるものは、略同様に動作する。
【００４８】
同図に示した画像形成装置１０は、上記図１で説明した副電源供給部１１からの電力供給により動作する時計部２１の替わりに電源ＯＦＦ時間出力部２２を設け、主電源供給部１２ａからの電力供給により動作する電源ＯＮ時刻保持部３１と、電源ＯＦＦ時刻保持部３２と、電源ＯＦＦ時間算出部３３とを除いた構成となる。さらに、主電源１２内部には、ＯＮ／ＯＦＦ通知部１２ｂが備えられる。
【００４９】
電源ＯＦＦ時間出力部２２は、主電源ＯＦＦ時間を時刻比較部３４へ出力する処理部である。すなわち、電源ＯＦＦ時間出力部２２は、上記図１で説明した時計部２１と、電源ＯＮ時刻保持部３１と、電源ＯＦＦ時刻保持部３２と、電源ＯＦＦ時間算出部３３とにより実現された機能を備えていることとなる。
【００５０】
具体的には、電源ＯＦＦ時間出力部２２には、主電源１２がＯＮ若しくはＯＦＦされるとともに、ＯＮ／ＯＦＦ通知部１２ｂよりＯＮ／ＯＦＦ情報が通知され、ＯＦＦ情報が通知された場合には、内部に備えた時間計測部２２ａにより、主電源ＯＦＦ時間の計測を開始する。一方、ＯＮ情報が入力された場合には、時間計測部２２ａにより計測された時間を主電源ＯＦＦ時間として時刻比較部３４へ出力することとなる。
【００５１】
時刻比較部３４では、電源ＯＦＦ時間出力部２２から出力された主電源ＯＦＦ時間と、閾値設定部３７に設定された閾値とを比較し、その比較結果を起動制御部３５へ送ることとなる。以後、上記実施例と同様の処理を行い、画像形成装置１０は、スタンバイ状態かあるいは、節電状態で起動することとなる。
【００５２】
なお、本発明は、上記および図面に示す実施例に限定することなく、その要旨を変更しない範囲内で適宜変形して実施できるものである。
【産業上の利用可能性】
【００５３】
本発明の画像形成装置およびその起動制御方法は、プリンタ、複写機および複合機などの画像形成装置全般に適用可能であり、特に、朝出社直後に慣習化した主電源ＯＮによる無駄な電力消費がなされているオフィス、学校等で有効利用することができる。
【図面の簡単な説明】
【００５４】
【図１】本発明に係わる画像形成装置の概略構成を示すブロック図の一例である。
【図２】本発明に係わる画像形成装置１０の動作を説明するフローチャートである。
【図３】本発明に係わる画像形成装置１０の変形例を示すブロック図である。
【符号の説明】
【００５５】
１０    画像形成装置
１１    副電源供給部
１２    主電源
１２ａ    主電源供給部
１２ｂ    ＯＮ／ＯＦＦ通知部
２１    時計部
２２    電源ＯＦＦ時間出力部
２２ａ    時間計測部
３１    電源ＯＮ時刻保持部
３２    電源ＯＦＦ時刻保持部
３３    電源ＯＦＦ時間算出部
３４    時刻比較部
３５    起動制御部
３５ａ    スタンバイ処理部
３６    入力部
３７    閾値設定部
３８    起動設定部
４０    ホスト端末
【図１】
2006256030.tif 000003
【図２】
2006256030.tif 000004
【図３】
2006256030.tif 000005